【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
作動油のタンクに接続し圧力作動油を発生する油圧ポンプと、
シリンダ本体内に摺動自在に嵌入しピストンロッドが固定されるピストンと、このピストンとシリンダ本体により形成されるヘッド側圧力室とロッド側圧力室を備えた油圧シリンダと、
この油圧シリンダに設けてあり前記ヘッド側圧力室に接続しヘッド側止弁を有するヘッド側弁内給排回路と、前記ロッド側圧力室に接続しロッド側止弁を有するロッド側弁内給排回路と、前記ヘッド側止弁とロッド側止弁の上流側でヘッド側弁内給排回路とロッド側弁内給排回路を接続し、バイパス用止弁を有するバイパス回路と、を有する多機能弁と、
この多機能弁のヘッド側弁内給排回路に接続したヘッド側給排回路がヘッド側最下流回路を介して接続する弁体内のヘッド側給排回路と、前記多機能弁のロッド側弁内給排回路に接続したロッド側給排回路が接続しロッド側最下流回路を介して接続する弁体内のロッド側給排回路を備え、この弁体内のヘッド側給排回路と弁体内のロッド側給排回路を前記油圧ポンプおよびタンクに切換接続する方向切換弁を備えた制御弁体と、
この制御弁体のヘッド側最下流回路から分岐するヘッド側分岐回路に設けたヘッド側弁をタンクに接続するタンク回路に接続し制御弁体を迂回するへッド側選定迂回回路と、前記制御弁体のロッド側最下流回路から分岐するロッド側分岐回路に設けたロッド側弁をタンクに接続するタンク回路に接続し制御弁体を迂回するロッド側選定迂回回路の双方を備え、前記ポンプの吐出作動油を前記方向切換弁で前記多機能弁のバイパス回路を介して前記ロッド側選定迂回回路またはヘッド側迂回回路に供給してタンクに帰還させるフラッシング回路を構成したことを特徴とする油圧シリンダ駆動回路用のフラッシング回路。
【請求項２】
作動油のタンクに接続し圧力作動油を発生する油圧ポンプと、
シリンダ本体内に摺動自在に嵌入しピストンロッドが固定されるピストンと、このピストンとシリンダ本体により形成されるヘッド側圧力室とロッド側圧力室を備えた油圧シリンダと、
この油圧シリンダに設けてあり前記ヘッド側圧力室に接続しヘッド側止弁を有するヘッド側弁内給排回路と、前記ロッド側圧力室に接続しロッド側止弁を有するロッド側弁内給排回路と、前記ヘッド側止弁とロッド側止弁の上流側でヘッド側弁内給排回路とロッド側弁内給排回路を接続し、バイパス用止弁を有するバイパス回路と、を有する多機能弁と、
この多機能弁のヘッド側弁内給排回路に接続したヘッド側給排回路がヘッド側最下流回路を介して接続する弁体内のヘッド側給排回路と、前記多機能弁のロッド側弁内給排回路に接続したロッド側給排回路が接続にロッド側最下流回路を介して接続する弁体内のロッド側給排回路とを備え、この弁体内のヘッド側給排回路と弁体内のロッド側給排回路を前記油圧ポンプおよびタンクに切換接続する方向切換弁を備えた制御弁体と、
この制御弁体のヘッド側最下流回路から分岐するヘッド側分岐回路と前記制御弁体のロッド側最下流回路から分岐するロッド側分岐回路とのいずれかと前記油圧ポンプの吐出側から分岐するポンプ側分岐回路とが接続し開閉機能を有するポンプ側弁を備えたポンプ側迂回回路と、この制御弁体のヘッド側最下流回路から分岐するヘッド側分岐回路と前記制御弁体のロッド側最下流回路から分岐するロッド側分岐回路とのいずれかと前記タンクに接続するタンク回路から分岐するタンク側分岐回路とが接続し開閉機能を有するタンク側弁を備えたタンク側迂回回路と、で構成し前記ポンプ側迂回回路と前記多機能弁のバイパス回路と前記タンク側迂回回路で前記油圧ポンプの吐出作動油をタンクに帰還させるフラッシング回路を構成したことを特徴とする油圧シリンダ駆動回路用のフラッシング回路。
【手続補正２】
【補正対象書類名】明細書
【補正対象項目名】発明の名称
【補正方法】変更
【補正の内容】
【発明の名称】油圧シリンダ駆動回路用のフラッシング回路
【手続補正３】
【補正対象書類名】明細書
【補正対象項目名】０００１
【補正方法】変更
【補正の内容】
【０００１】
本発明は、水門の駆動装置に利用される往復動型の油圧シリンダ駆動回路の様に作動油が駆動回路の中を移動するだけで循環しない駆動回路内の作動油の交換および回路内を清掃（以下フラッシングと記載する。）のためのフラッシング回路に関する。 
【手続補正４】
【補正対象書類名】明細書
【補正対象項目名】００１３
【補正方法】変更
【補正の内容】
【００１３】
本発明は、油圧シリンダ駆動回路のフラッシング操作時に、油圧シリンダにおいて汚染物質で汚染された作動油を油圧シリンダの制御主体である方向切換弁を含む制御弁体を迂回させて作動油のタンクに帰還させることで、フラッシング操作時において、発生しやすい汚染物質のかみこみによる制御弁体の機能障害を回避するフラッシング回路を提案するものである。 
【手続補正５】
【補正対象書類名】明細書
【補正対象項目名】００１４
【補正方法】変更
【補正の内容】
【００１４】
本発明のフラッシング回路は、作動油のタンクに接続し圧力作動油を発生する油圧ポンプと、シリンダ本体内に摺動自在に嵌入しピストンロッドが固定されるピストンと、このピストンとシリンダ本体により形成されるヘッド側圧力室とロッド側圧力室を備えた油圧シリンダと、この油圧シリンダに設けてあり前記ヘッド側圧力室に接続しヘッド側止弁を有するヘッド側弁内給排回路と、前記ロッド側圧力室に接続しロッド側止弁を有するロッド側弁内給排回路と、前記ヘッド側止弁とロッド側止弁の上流側でヘッド側弁内給排回路とロッド側弁内給排回路を接続し、バイパス用止弁を有するバイパス回路と、を有する多機能弁と、この多機能弁のヘッド側弁内給排回路に接続したヘッド側給排回路がヘッド側最下流回路を介して接続する弁体内のヘッド側給排回路と、前記多機能弁のロッド側弁内給排回路に接続したロッド側給排回路が接続しロッド側最下流回路を介して接続する弁体内のロッド側給排回路を備え、この弁体内のヘッド側給排回路と弁体内のロッド側給排回路を前記油圧ポンプおよびタンクに切換接続する方向切換弁を備えた制御弁体と、この制御弁体のヘッド側最下流回路から分岐するヘッド側分岐回路に設けたヘッド側弁をタンクに接続するタンク回路に接続し制御弁体を迂回するへッド側選定迂回回路と、前記制御弁体のロッド側最下流回路から分岐するロッド側分岐回路に設けたロッド側弁をタンクに接続するタンク回路に接続し制御弁体を迂回するロッド側選定迂回回路の双方を備え、前記ポンプの吐出作動油を前記方向切換弁で前記多機能弁のバイパス回路を介して前記ロッド側選定迂回回路またはヘッド側迂回回路に供給してタンクに帰還させるフラッシング回路を構成したことを特徴とする。 
【手続補正６】
【補正対象書類名】明細書
【補正対象項目名】００１５
【補正方法】変更
【補正の内容】
【００１５】
上述した本発明のフラッシング回路は、ポンプの吐出作動油を方向切換弁で多機能弁のバイパス回路を介してロッド側選定迂回回路またはヘッド側迂回回路に選択的に供給してタンクに帰還させる構成であるから、ヘッド側給排回路またはロッド側給排回路に貯留する汚染物質で汚染された作動油が前記選定迂回回路を介してタンクに帰還させられるので、制御弁体を汚染物質に汚染された作動油から保護することができる。また、油圧シリンダ駆動回路をフラッシング回路に併用しているのでその回路構成を簡単にできる効果を有する。 
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
さらに、本発明のフラッシング回路は、作動油のタンクに接続し圧力作動油を発生する油圧ポンプと、シリンダ本体内に摺動自在に嵌入しピストンロッドが固定されるピストンと、このピストンとシリンダ本体により形成されるヘッド側圧力室とロッド側圧力室を備えた油圧シリンダと、この油圧シリンダに設けてあり前記ヘッド側圧力室に接続しヘッド側止弁を有するヘッド側弁内給排回路と、前記ロッド側圧力室に接続しロッド側止弁を有するロッド側弁内給排回路と、前記ヘッド側止弁とロッド側止弁の上流側でヘッド側弁内給排回路とロッド側弁内給排回路を接続し、バイパス用止弁を有するバイパス回路と、を有する多機能弁と、この多機能弁のヘッド側弁内給排回路に接続したヘッド側給排回路がヘッド側最下流回路を介して接続する弁体内のヘッド側給排回路と、前記多機能弁のロッド側弁内給排回路に接続したロッド側給排回路が接続にロッド側最下流回路を介して接続する弁体内のロッド側給排回路とを備え、この弁体内のヘッド側給排回路と弁体内のロッド側給排回路を前記油圧ポンプおよびタンクに切換接続する方向切換弁を備えた制御弁体と、この制御弁体のヘッド側最下流回路から分岐するヘッド側分岐回路と前記制御弁体のロッド側最下流回路から分岐するロッド側分岐回路とのいずれかと前記油圧ポンプの吐出側から分岐するポンプ側分岐回路とが接続し開閉機能を有するポンプ側弁を備えたポンプ側迂回回路と、この制御弁体のヘッド側最下流回路から分岐するヘッド側分岐回路と前記制御弁体のロッド側最下流回路から分岐するロッド側分岐回路とのいずれかと前記タンクに接続するタンク回路から分岐するタンク側分岐回路とが接続し開閉機能を有するタンク側弁を備えたタンク側迂回回路と、で構成し前記ポンプ側迂回回路と前記多機能弁のバイパス回路と前記タンク側迂回回路で前記油圧ポンプの吐出作動油を前記タンクに帰還させるフラッシング回路を構成したことを特徴とする。 
【手続補正１０】
【補正対象書類名】明細書
【補正対象項目名】００１９
【補正方法】変更
【補正の内容】
【００１９】
上述した本発明のフラッシング回路は、ポンプ側迂回回路と多機能弁のバイパス回路とタンク側迂回回路とで構成するフラッシング回路により油圧ポンプが吐出する作動油をタンクに循環させてフラッシングを行う。このフラッシング作用において油圧ポンプからの吐出する作動油は、ポンプ側迂回回路から多機能弁のバイパス回路を介してタンク側迂回回路を経てタンクに帰還する。このためフラッシングのため循環する作動油は、そのすべてが制御弁体を迂回するので、帰還する作動油に含まれる汚染物質で汚染された作動油がタンク側迂回回路を介してタンクへ帰還させられフラッシング回路内の作動油に混在する汚染物質で汚染された作動油から制御弁体を保護する効果を有する。 
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００３２
【補正方法】変更
【補正の内容】
【００３２】
多機能弁３０のヘッド側止弁３１とロッド側止弁３３およびバイパス用止弁３５は、ハ
ンドルでねじを回動して弁体を弁座に押圧する止弁、あるいは、ハンドルによってボール
を回動してこのボールに穿った穴の方向を変えて開閉するボール弁などで構成してあり、
比較的内部の流下抵抗が小さく閉鎖時のシール力が十分得られる構造の物が用いられる。
なお、この様な構成に限定されずに流下抵抗が制御弁体４０に比べて低い弁構造であれば
よい。また、この実施例のヘッド側止弁３１、ロッド側止弁３３、バイパス用止弁３５の
操作方法は、手動であるか電動であるかは限定していないが、手動の場合は、多機能弁３
０を操作するために、油圧シリンダ１０の設置場所まで行く必要があるので、フラッシン
グ操作が面倒になりやすい。電動である場合は、遠隔操作が可能となるため、フラッシン
グ操作が容易になりやすい。したがってフラッシング操作の頻度により選択すればよい。
【手続補正１８】
【補正対象書類名】明細書
【補正対象項目名】００３３
【補正方法】変更
【補正の内容】
【００３３】
多機能弁３０のヘッド側止弁３１とロッド側止弁３３は、ヘッド側弁内給排回路３２とロッド側弁内給排回路３４を開閉するために設けてあり、たとえば、油圧シリンダ１０のピストン１２の漏れを測定するために用いる。すなわち、ピストン１２をロッド側圧力室１５のストロークエンドまで移動させた後、ロッド側止弁３３を閉鎖してヘッド側弁内給回路３２からヘッド側圧力室１４に作動圧油を供給して所定時間経過したときの漏れ量を測定することによりピストン１２のシールの破損度合を測定できる。またピストン１２をヘッド側圧力室１４のストロークエンドまで移動させた後、ヘッド側止弁３１を閉鎖してロッド側弁内給排回路３４からロッド側圧力室１５に作動圧油を供給して所定時間経過したときの漏れ量を測定することによりピストン１２のシールの破損度合を測定できる。また、バイパス用止弁３５は、ヘッド側止弁３１とロッド側止弁３３を閉鎖してバイパス用止弁３５を開放するとヘッド側弁内給排回路３２とロッド側弁内給排回路３４が接続されるので、油圧シリンダ１０のピストン１２で遮断されていた回路が接続されるので、循環する回路が構成されフラッシングが可能になる。などの機能を備えている。なおこの機能の詳細は特許第３６９６８５０号を参照のこと。 
【手続補正１９】
【補正対象書類名】明細書
【補正対象項目名】００４１
【補正方法】変更
【補正の内容】
【００４１】
また、前記弁体内のロッド側給排回路４９に設けた速度制御弁４６は、その下流側から上流側への流れを阻止する逆止弁４６Ａに並列に設けた可変絞４６Ｂとで構成してあり、下流側から上流側への流量（油圧シリンダ１０の排出側の流量）のみを制限する構成であり、油圧シリンダ１０押し出し方向の速度を制御する機能を有する。同様に、前記弁体内ロッド側給排回路４８に設けた速度制御弁４７は、その下流側から上流側への流れを阻止する逆止弁４７Ａに並列に設けた可変絞４７Ｂとで構成してあり、下流側から上流側への流量（油圧シリンダ１０の排出側の流量）のみを制限する構成であり、油圧シリンダ１０引き込み方向の速度を制御する機能を有する。
【手続補正２０】
【補正対象書類名】明細書
【補正対象項目名】００４２
【補正方法】変更
【補正の内容】
【００４２】
前記タンク回路６４から分岐する分岐タンク回路５１に接続しヘッド側弁５２を備えヘッド側給排回路４１から分岐するヘッド側分岐回路５３と、前記タンク回路６４から分岐する分岐タンク回路５１に接続しロッド側止弁５４を備えロッド側給排回路４２から分岐するロッド側分岐回路５５と、で構成する迂回回路５０は、ヘッド側弁５２を開いてヘッド側分岐回路５３を分岐タンク回路５１に接続するヘッド側の選定迂回回路５６とロッド側止弁５４を開いてロッド側給排回路４２を分岐タンク回路５１に接続するロッド側選定迂回回路５７とを形成する。 
【手続補正２１】
【補正対象書類名】明細書
【補正対象項目名】００４６
【補正方法】変更
【補正の内容】
【００４６】
この図１の状態において、多機能弁３０のバイパス用止弁３５を開き、方向切換弁４３を右切換位置４３Cに切換え、ロッド側弁５４を開くとポンプ吐出回路６３は、制御弁体４０の方向切換弁４３、弁体内のヘッド側給排回路４８、最下流回路４８Ａ、ヘッド側給排回路４１、多機能弁３０のバイパス回路３６、ロッド側給排回路４２、迂回回路５０のロッド側分岐回路５５と分岐タンク回路５１で構成されるロッド側の選定迂回回路５７、よりなる右回りのフラッシング回路６５が構成される。 
【手続補正２２】
【補正対象書類名】明細書
【補正対象項目名】００４８
【補正方法】変更
【補正の内容】
【００４８】
同様に、多機能弁３０のバイパス用止弁３５を開き、方向切換弁４３を左切換位置４３Ｂに切換え、迂回回路５０のヘッド側止弁５２を開くとポンプ吐出回路６３は、制御弁体４０の方向切換弁４３、弁体内のロッド側給排回路４９、最下流回路４９Ａ、弁体内のロッド側給排回路４９、ロッド側給排回路４２、多機能弁３０のバイパス回路３６、ヘッド側給排回路４１、迂回回路５０のヘッド側分岐回路５３と分岐タンク回路５１で構成されるヘッド側の選定迂回回路５６、よりなる左回りのフラッシング回路６６が構成される。 
【手続補正２３】
【補正対象書類名】明細書
【補正対象項目名】００５８
【補正方法】変更
【補正の内容】
【００５８】
この方向切換弁４３の下流側には、パイロットチェック積層体７２のパイロットチェック弁４５と速度制御弁積層体７３の速度制御弁４６が接続し、分岐回路積層体７４の最下流回路４９Ａに接続する弁体内のロッド側給排回路４９と、パイロットチェック積層体７２のパイロットチェック弁４４と速度制御弁積層体７３の速度制御弁４７が接続し、分岐回路積層体７４の最下流回路４８Ａに接続する弁体内のロッド側給排回路４８とが接続する。 
【手続補正２４】
【補正対象書類名】明細書
【補正対象項目名】００５９
【補正方法】変更
【補正の内容】
【００５９】
前記分岐回路積層体７４の弁体内のヘッド側給排回路４８は、ヘッド側給排回路４１から多機能弁３０を介して油圧シリンダ１０のヘッド側圧力室１４に接続しており、前記分岐回路積層体７４の弁体内のロッド側給排回路４９は、ロッド側給排回路４２から多機能弁３０を介して油圧シリンダ１０のロッド側圧力室１５に接続する。
【手続補正２５】
【補正対象書類名】明細書
【補正対象項目名】００７６
【補正方法】変更
【補正の内容】
【００７６】
積層弁体７０Ａは、方向切換弁４３が設けてある切換弁積層体７１、パイロットチェック弁４４とパイロットチェック弁４５が設けてあるパイロットチェック積層体７２、速度制御弁４６と速度制御弁４７が設けてある速度制御弁積層体７３、ヘッド側弁５２Ａを有するヘッド側分岐回路５３とロッド側弁５４Ａを有するロッド側分岐回路５５が設けてある分岐回路積層体７４Ａを積層しボルトで一体化して構成してある。 
【手続補正２６】
【補正対象書類名】明細書
【補正対象項目名】００７８
【補正方法】変更
【補正の内容】
【００７８】
この方向切換弁４３の下流側には、パイロットチェック積層体７２のパイロットチェック弁４５と速度制御弁積層体７３の速度制御弁４６が接続し、分岐回路積層体７４Ａの最下流回路４９Ａに接続する弁体内のロッド側給排回路４９と、パイロットチェック積層体７２のパイロットチェック弁４４と速度制御弁積層体７３の速度制御弁４７が接続し、分岐回路積層体７４Ａの最下流回路４８Ａに接続する弁体内のロッド側給排回路４８とが接続する。 
【手続補正２７】
【補正対象書類名】明細書
【補正対象項目名】００８３
【補正方法】変更
【補正の内容】
【００８３】
この第２実施例は、積層弁体７０Ａに全ての機能を集約したので、小型に構成できると共に、タンク側迂回回路５０Ｂ、ポンプ側迂回回路５０Ａを分岐回路積層体７４Ａ中に構成するので、フラッシング回路の長さを最大の長さにすることが出来るのでフラッシングする管路を長くする効果を備えている。 
【手続補正２８】
【補正対象書類名】明細書
【補正対象項目名】００９３
【補正方法】変更
【補正の内容】
【００９３】
この右回りのフラッシング回路６５に油圧ポンプ６２の吐出作動油を供給すると、ポンプ吐出回路６３、ヘッド側迂回回路５６Ａ、ヘッド側給排回路４１、バイパス回路３６、ロッド側給排回路４２、ロッド側迂回回路５７Ａに達するが、弁体内のロッド側給排回路４９がパイロットチェック弁４４で閉鎖されているので、タンク側迂回回路５０Ｂを介してタンク６１に還流してフラッシングを行う。 
【手続補正２９】
【補正対象書類名】明細書
【補正対象項目名】００９５
【補正方法】変更
【補正の内容】
【００９５】
図５において、ヘッド側迂回回路５６Ａのポンプ側止弁５２Ｂを開くことでヘッド側迂回回路５６Ａにタンク側迂回回路５０Ｄを構成し、ロッド側迂回回路５７Ａのポンプ側止弁５２Ｃを開くことでロッド側迂回回路５７Ａにポンプ側迂回回路５０Ｃ構成する。そして、多機能弁３０のバイパス用止弁３５を開くことで、左回りのフラッシング回路６６が形成される。 
【手続補正３０】
【補正対象書類名】明細書
【補正対象項目名】００９６
【補正方法】変更
【補正の内容】
【００９６】
この左回りのフラッシング回路６６に油圧ポンプ６２の吐出作動油を供給すると、ポンプ吐出回路６３、ロッド側迂回回路５７Ａ、ロッド側給排回路４２、バイパス回路３６、ヘッド側給排回路４１、ヘッド側迂回回路５６Ａに達するが、弁体内のヘッド側給排回路４８がパイロットチェック弁４５で閉鎖されているので、ヘッド側迂回回路５６Ａに構成したタンク側迂回回路５０Ｂを介してタンク６１に還流してフラッシングを行う。 
【手続補正３１】
【補正対象書類名】明細書
【補正対象項目名】０１１６
【補正方法】変更
【補正の内容】
【０１１６】
１０    油圧シリンダ
１１    シリンダ本体
１３    ロッド
１４    ヘッド側圧力室
１５    ロッド側圧力室
３０    多機能弁
３１    ヘッド側止弁
３２    ヘッド側止弁内給排回路
３３    ロッド側止弁
３４    ロッド側弁内給排回路
３５    バイパス用止弁
３６    バイパス回路
３７    弁本体
４０    制御弁体
４１    ヘッド側給排回路
４２    ロッド側給排回路
４３    方向切換弁
４４    パイロットチェック弁
４５    パイロットチェック弁
４６    速度制御弁
４７    速度制御弁
４８    弁体内のヘッド側給排回路
４８Ａ  ヘッド側最下流回路４８Ａ
４９    弁体内のロッド側給排回路
４９Ａ  ロッド側最下流回路４９Ａ
５０    迂回回路
５１    分岐タンク回路
５２    ヘッド側弁
５３    ヘッド側分岐回路
５４    ロッド側弁
５５    ロッド側分岐回路
５６    ヘッド側選定迂回回路
５７    ロッド側選定迂回回路
６１    タンク
６１    油圧ポンプ
６３    ポンプ吐出回路
６４    タンク回路
６５    右回りのフラッシング回路
６６    左回りのフラッシング回路
７０    積層弁体
７１    切換弁積層体
７２    パイロットチェック積層体
７３    速度制御弁積層体
７４    分岐回路積層体 
【手続補正３２】
【補正対象書類名】図面
【補正対象項目名】図１
【補正方法】変更
【補正の内容】
【図１】
2012067903.tif 000001
【手続補正３３】
【補正対象書類名】図面
【補正対象項目名】図２
【補正方法】変更
【補正の内容】
【図２】
2012067903.tif 000002
【手続補正３４】
【補正対象書類名】図面
【補正対象項目名】図３
【補正方法】変更
【補正の内容】
【図３】
2012067903.tif 000003
【手続補正３５】
【補正対象書類名】図面
【補正対象項目名】図４
【補正方法】変更
【補正の内容】
【図４】
2012067903.tif 000004
【手続補正３６】
【補正対象書類名】図面
【補正対象項目名】図５
【補正方法】変更
【補正の内容】
【図５】
2012067903.tif 000005
【手続補正３７】
【補正対象書類名】図面
【補正対象項目名】図６
【補正方法】変更
【補正の内容】
【図６】
2012067903.tif 000006